(57)【特許請求の範囲】
【請求項１】
ユーザ機器（１）とマスター進化型ノードＢ（２）とセカンダリ進化型ノードＢ（３）との間にデュアルコネクティビティを確立するための方法であって、前記方法が、ｉ）前記マスター進化型ノードＢ（２）が、前記ユーザ機器（１）によってリクエストされたデータレートをオフロードしたいので少なくとも１つのセカンダリ進化型ノードＢ（３）を選択する、第１のステップ（Ｓ１）と、ｉｉ）前記マスター進化型ノードＢ（２）が、少なくとも割り当てられるべき補完無線資源を定義するデータ、Ｅ−ＲＡＢパラメータ、ユーザプレーンオプションに対応するＴＮＬアドレス情報、前記ユーザ機器（１）の能力、前記ユーザ機器（１）用の現在の無線資源構成、および前記ユーザ機器（１）の履歴セル情報を含む資源リクエストを、前記選択されたセカンダリ進化型ノードＢ（３）に送信する、第２のステップ（Ｓ２）と、ｉｉｉ）前記選択されたセカンダリ進化型ノードＢ（３）が、前記ユーザ機器（１）に前記リクエストされた補完無線資源を割り当てることができるかどうか、また、対応する無線パラメータをどのように設定するか、について、前記受信した資源リクエスト中に含まれる前記データから、また、そのまだ割り当てられてない無線資源から決定する第３のステップ（Ｓ３）とを含む、方法。
【請求項２】
前記ユーザ機器（１）が、前記選択されたセカンダリ進化型ノードＢ（３）に前記資源リクエストを送信する以前に、アクティブ状態またはアイドル状態でサービス提供されたセルについての情報を、前記履歴セル情報が、含む、請求項１に記載の方法。
【請求項３】
第３のステップ（Ｓ３）では、前記選択されたセカンダリ進化型ノードＢ（３）が、前記受信した履歴セル情報データから前記ユーザ機器（１）の速度を推定する、請求項１または２に記載の方法。
【請求項４】
命令のセットが処理手段によって実行されるとき、請求項１から３までのいずれか一項に記載の方法を実行して、ユーザ機器（１）とマスター進化型ノードＢ（２）とセカンダリ進化型ノードＢ（３）との間にデュアルコネクティビティを確立することができるように構成された命令のセットを含む、コンピュータプログラム。
【請求項５】
進化型ノードＢ（２、３）のためのデバイス（６）であって、前記デバイス（６）が、ｉ）前記進化型ノードＢ（２）が、ユーザ機器（１）にサービス提供し、前記ユーザ機器（１）によってリクエストされたデータレートをオフロードしたいマスター進化型ノードＢであるとき、少なくとも１つのセカンダリ進化型ノードＢ（３）を選択し、ｉｉ）少なくとも割り当てられるべき補完無線資源を定義するデータ、Ｅ−ＲＡＢパラメータ、ユーザプレーンオプションに対応するＴＮＬアドレス情報、前記ユーザ機器（１）の能力、前記ユーザ機器（１）用の現在の無線資源構成、および前記ユーザ機器（１）の履歴セル情報を含む資源リクエストの、前記マスター進化型ノードＢ（２）による前記選択されたセカンダリ進化型ノードＢ（３）への伝送をトリガするように構成される、デバイス（６）。
【請求項６】
前記受信した履歴セル情報データから前記ユーザ機器（１）の速度を推定するように構成される、請求項５に記載のデバイス。
【請求項７】
デバイスの進化型ノードＢが、ユーザ機器（１）に直接サービス提供するマスター進化型ノードＢ（２）から、少なくとも割り当てられるべき補完無線資源を定義するデータ、Ｅ−ＲＡＢパラメータ、ユーザプレーンオプションに対応するＴＮＬアドレス情報、前記ユーザ機器（１）の能力、前記ユーザ機器（１）用の現在の無線資源構成、および前記ユーザ機器（１）の履歴セル情報を含む資源リクエストを受信した選択されたセカンダリ進化型ノードＢ（３）であるとき、前記デバイスが、前記受信した資源リクエスト中に含まれる前記データから、また、前記セカンダリ進化型ノードＢ（３）によってそのまだ割り当てられてない無線資源から、そのセカンダリ進化型ノードＢ（３）が、前記ユーザ機器（１）に前記リクエストされた補完無線資源を割り当てることができるか、対応する無線パラメータをどのように設定するか、について決定するために、構成される、請求項５または６に記載のデバイス。
【発明の詳細な説明】
【技術分野】
【０００１】
本発明は、少なくとも３ＧＰＰ第４世代（または４Ｇ）に属するモバイル（またはワイヤレス）通信ネットワークのスモールセルにおけるデュアルコネクティビティに関する。
【背景技術】
【０００２】
当業者には知られているように、ユーザワイヤレス通信機器のデータレートを増大させるために、３ＧＰＰは、このユーザワイヤレス通信機器とマスター進化型ノードＢ（Ｍａｓｔｅｒ  ｅｖｏｌｖｅｄ  Ｎｏｄｅ  Ｂ（またはＭｅＮＢ））とセカンダリ進化型ノードＢ（Ｓｅｃｏｎｄａｒｙ  ｅｖｏｌｖｅｄ  Ｎｏｄｅ  Ｂ（またはＳｅＮＢ））のそれぞれとの間の２つの通信経路を確立することを提案してきた。これがいわゆるデュアルコネクティビティである。
【０００３】
以降の説明では、「ユーザワイヤレス通信機器」と「ユーザ機器」という表現は等価なものとみなす。
【０００４】
ＭｅＮＢは、ユーザ機器にサービス提供するために最初に選択されたｅＮＢであり、一方、ＳｅＮＢは、ＭｅＮＢの１つまたはいくつかのベアラをＳｅＮＢにオフロードすることによってＭｅＮＢを補助するために、後に選択されるスモールセルのｅＮＢである。
【０００５】
デュアルコネクティビティの特徴が使用されるとき、１つまたは複数のデータベアラが、次のステップを含む方法に従ってＭｅＮＢからＳｅＮＢへ「オフロード」され得る。
【０００６】
ステップＳ１では、ユーザ機器にサービス提供し、リクエストされたデータレートをオフロードしたいＭｅＮＢが、少なくとも１つのＳｅＮＢの補完無線資源をアクティブ化することを決定する。これは、いわゆるＲＲＭ（またはＲａｄｉｏ  Ｒｅｓｏｕｒｃｅ  Ｍａｎａｇｅｍｅｎｔ）決定である。
【０００７】
ステップＳ２では、ＭｅＮＢが、オフロードされるベアラ用に補完無線資源を割り当てるように選択されたＳｅＮＢにリクエストするために、このＳｅＮＢに追加（または資源）リクエストを送信する。この追加（または資源）リクエストは、特に、Ｅ−ＲＡＢ（またはＥ−ＵＴＲＡＮ  Ｒａｄｉｏ  Ａｃｃｅｓｓ  Ｂｅａｒｅｒ）パラメータ、ユーザプレーンオプションに対応するＴＮＬ（またはトランスポートネットワーク層（Ｔｒａｎｓｐｏｒｔ  Ｎｅｔｗｏｒｋ  Ｌａｙｅｒ））アドレス情報、ユーザ機器能力およびユーザ機器用の現行の無線資源構成を含む。
【０００８】
ステップＳ３では、ＳｅＮＢのＲＲＭエンティティが、リクエストされた補完無線資源をユーザ機器用に割り当てることができるかどうかについて決定する。これは、別のＲＲＭ決定である。ＳｅＮＢのＲＲＭエンティティが、追加（または資源）リクエストを受け付けることができる場合、補完無線資源（Ｌ１およびＬ２）および適切な無線パラメータ設定を割り当て、同期のためにユーザ機器に専用ＲＡＣＨ（またはＲａｄｉｏ  Ａｃｃｅｓｓ  ＣＨａｎｎｅｌ）プリアンブルを提供することができる。
【０００９】
ステップＳ４では、ＳｅＮＢが、ＭｅＮＢに追加（または資源）応答を送信する。
【００１０】
ステップＳ５では、ＭｅＮＢが、提案された新たな無線資源構成を検証することができる。これは別のＲＲＭ決定である。
【００１１】
ステップＳ６では、ＭｅＮＢが、提案された無線資源構成を承認する場合、この提案された無線資源構成を定義する情報を含むＲＲＣ（または無線リソース制御（Ｒａｄｉｏ  Ｒｅｓｏｕｒｃｅ  Ｃｏｎｔｒｏｌ））接続再構成メッセージを、ユーザ機器に送信する。
【００１２】
次いで、ステップＳ７では、ＭｅＮＢが、ＰＤＣＰ（「Ｐａｃｋｅｔ  Ｄａｔａ  Ｃｏｎｖｅｒｇｅｎｃｅ  Ｐｒｏｔｏｃｏｌ」）シーケンス番号を含むＳＮ（またはＳｅｑｕｅｎｃｅ  Ｎｕｍｂｅｒ）状態伝達メッセージを、ＳｅＮＢに送信することができる。
【００１３】
ステップＳ８では、ＭｅＮＢはＳｅＮＢに向けてデータ転送をトリガすることもできる。
【００１４】
ステップＳ９では、ユーザ機器が、接続再構成に進んだとき、ＲＲＣ接続再構成完了メッセージをＭｅＮＢに送信する。
【００１５】
次いで、ステップＳ１０では、ユーザ機器が、ランダムアクセスプリアンブルメッセージをＳｅＮＢに送信する。
【００１６】
ステップＳ１１では、ＳｅＮＢが、ランダムアクセス応答をユーザ機器に送信する。
【００１７】
ステップＳ１２では、ユーザ機器が、他のメッセージ（Ｃ−ＲＮＴＩ（またはＣｏｎｔｒｏｌｌｉｎｇ−Ｒａｄｉｏ  Ｎｅｔｗｏｒｋ  Ｔｅｍｐｏｒａｒｙ  Ｉｄｅｎｔｉｆｉｅｒ））をＳｅＮＢに送信し、これにより、ＳｅＮＢの（スモール）セルへ向けた同期が完了する。
【００１８】
ステップＳ１３では、ＳｅＮＢが、新たな構成が既に使用状態であることを通知するために、追加（または資源）完了メッセージをＭｅＮＢに送信する。
【００１９】
次いで、ステップＳ１４では、ＭｅＮＢが、Ｅ−ＲＡＢ変更指示メッセージを、関連するＭＭＥ（またはＭｏｂｉｌｉｔｙ  Ｍａｎａｇｅｍｅｎｔ  Ｅｎｔｉｔｙ：モビリティ管理エンティティ）に送信することができる。
【００２０】
ステップＳ１５では、ＭＭＥおよび関連するＳ−ＧＷ（またはＳｅｒｖｉｎｇ−ＧａｔｅＷａｙ：サービス提供ゲートウェイ）が、選択されたＳｅＮＢによって関係するユーザ機器に提供される、ベアラオフロードの結果であるベアラ（またはＥ−ＲＡＢ）変更を登録する。
【００２１】
最後に、ステップＳ１６では、ＭＭＥが、ＥＰＣ（進化型パケットコア「Ｅｖｏｌｖｅｄ  Ｐａｃｋｅｔ  Ｃｏｒｅ」）へ向けたユーザプレーン経路の更新が実行されることを通知するために、Ｅ−ＲＡＢ変更確認メッセージをＭｅＮＢに送信することができる。
【００２２】
ステップＳ２では、ＭｅＮＢから選択されたＳｅＮＢへのベアラのオフロードを、別個のユーザ機器に対していくつか同時に（ｃｏｎｃｕｒｒｅｎｔ）試みることができ、および／または他のＭｅＮＢからＳｅＮＢへベアラを試験的にオフロードすることができ、および／または選択されたＳｅＮＢが、直接サービス提供する少なくとも１つのユーザ機器用のサービス提供ｅＮＢとすることができる。したがって、ユーザ機器履歴情報パラメータに間接的に含まれる推定速度などの、別のユーザ機器特性パラメータは、ＳｅＮＢが資源の割当てを調停し、最適化するのを手助けすることができる。ユーザ機器が、アクティブ状態（またはアイドル状態でもよい）で、先にサービス提供されたセルについての情報（最終訪問セルリストおよび最終訪問セル情報（グローバルセルＩＤ、セルタイプ、ユーザ機器がセルに滞在した時間、ユーザ機器がグラニュラリティを拡張したセルに滞在した時間、およびＨＯ原因値））を、ユーザ機器履歴情報が含むことが、思い出されよう。
【００２３】
そのため、ユーザ機器履歴情報が、ユーザ機器速度（またはスピード）および／または状態を推定するためにＳｅＮＢで使用され得る、モビリティ関連パラメータを設定するためにも有用である。
【００２４】
しかし、全ユーザ機器のコンテキストが、割り当てられなければならないので、今日、ＭｅＮＢからＳｅＮＢまでハンドオーバーが行われる場合、ユーザ機器履歴情報は、Ｘ２ポイントツーポイントインターフェースをわたってのみ提供される。その事例では、ＳｅＮＢは、ユーザ機器のコンテキストを用いて移転された全てのベアラのＣＡＣ（またはＣａｌｌ  Ａｄｍｉｓｓｉｏｎ  Ｃｏｎｔｒｏｌ：呼受付制御）のために、またいくつかの無線パラメータを設定するために、ユーザ機器履歴情報を使用することができる。対照的に、デュアルコネクティビティの事例では、すなわち、デュアルコネクティビティの特徴の一部として、少なくとも１つのベアラがオフロードされなければならないとき、選択されたＳｅＮＢは、目下ＭｅＮＢからユーザ機器履歴情報を受信せず、したがって、資源受付制御および最適化、ならびに資源最適化用の無線パラメータの設定のためにユーザ機器の速度を推定するための手段をもたない。
【発明の概要】
【発明が解決しようとする課題】
【００２５】
そのため、この発明の目的は、ユーザ機器に直接サービス提供するＭｅＮＢによって選択されたＳｅＮＢに、このユーザ機器のユーザ機器履歴情報を提供することによって状況を改善することである。
【課題を解決するための手段】
【００２６】
第１の実施形態では、方法が、ユーザ機器とマスター進化型ノードＢとセカンダリ進化型ノードＢとの間にデュアルコネクティビティを確立するものであって、その方法が：
−  マスター進化型ノードＢがユーザ機器によってリクエストされたデータレートをオフロードしたいので少なくとも１つのＳｅＮＢを選択する、第１のステップと、
−  マスター進化型ノードＢが、少なくとも割り当てられるべき補完無線資源を定義するデータ、Ｅ−ＲＡＢパラメータ、ユーザプレーンオプションに対応するＴＮＬアドレス情報、ユーザ機器の能力、ユーザ機器用の現在の無線資源構成、およびユーザ機器の履歴セル情報を含む資源リクエストを、この選択されたＳｅＮＢに送信する、第２のステップと、
−  選択されたセカンダリ進化型ノードＢが、ユーザ機器用にこのリクエストされた補完無線資源を割り当てることができるかどうか、また、対応する無線パラメータをどのように適切に設定するか、について、この受信した資源リクエスト中に含まれるデータから、また、そのまだ割り当てられてない無線資源から決定する第３のステップとを含む。
【００２７】
例えば、ユーザ機器が、選択されたセカンダリ進化型ノードＢに資源リクエストを送信する以前に、アクティブ状態またはアイドル状態でサービス提供されたセルについての情報を、履歴セル情報が、含むことができる。
【００２８】
また例えば、第３のステップでは、選択されたセカンダリ進化型ノードＢが、受信した履歴セル情報データからユーザ機器の速度を推定することができる。
【００２９】
第２の実施形態では、命令のセットが処理手段によって実行されるとき、上記で提示された方法を実行して、ユーザ機器とマスター進化型ノードＢとセカンダリ進化型ノードＢとの間にデュアルコネクティビティを確立することができるように構成された命令のセットを、コンピュータプログラム製品が含む。
【００３０】
第３の実施形態では、デバイスが、進化型ノードＢを装備するものであって、このデバイスは：
−  その進化型ノードＢが、ユーザ機器にサービス提供し、ユーザ機器によってリクエストされたデータレートをオフロードしたいマスター進化型ノードＢであるとき、少なくとも１つのセカンダリ進化型ノードＢを選択し、
−  少なくとも割り当てられるべき補完無線資源を定義するデータ、Ｅ−ＲＡＢパラメータ、ユーザプレーンオプションに対応するＴＮＬアドレス情報、ユーザ機器の能力、ユーザ機器用の現在の無線資源構成、およびユーザ機器の履歴セル情報を含む資源リクエストの、そのマスター進化型ノードＢによるこの選択されたセカンダリ進化型ノードＢへの伝送をトリガするように構成される。
【００３１】
例えば、このデバイスが、受信した履歴セル情報データからユーザ機器の速度を推定することができる。
【００３２】
このデバイスの進化型ノードＢが、このユーザ機器に直接サービス提供するマスター進化型ノードＢから、少なくとも割り当てられるべき補完無線資源を定義するデータ、Ｅ−ＲＡＢパラメータ、ユーザプレーンオプションに対応するＴＮＬアドレス情報、ユーザ機器の能力、このユーザ機器用の現在の無線資源構成、およびこのユーザ機器の履歴セル情報を含む資源リクエストを受信した選択されたセカンダリ進化型ノードＢであるとき、このデバイスは、この受信した資源リクエスト中に含まれるデータから、また、そのセカンダリ進化型ノードＢが、ユーザ機器用にこれらのリクエストされた補完無線資源を割り当てることができるかどうか、また、対応する無線パラメータをどのように適切に設定するか、について、そのセカンダリ進化型ノードＢによってまだ割り当てられてない無線資源から決定するように、構成もされ得る。
【００３３】
ここで、本発明の一実施形態による方法およびデバイスのいくつかの実施形態について、単に例として、添付の図面を参照して説明する。
【図面の簡単な説明】
【００３４】
【図１】ユーザ機器が接続される４Ｇモバイル通信ネットワークの一部を概略的および機能的に示す図である。
【図２】本発明によるデバイスの実施形態の一例のステップを示す矢印を含むシーケンス図を概略的に示す図である。
【発明を実施するための形態】
【００３５】
これ以降、特に、ユーザ機器（またはユーザワイヤレス通信機器）１と、このユーザ機器１に直接サービス提供するマスター進化型ノードＢ（Ｍａｓｔｅｒ  ｅｖｏｌｖｅｄ  Ｎｏｄｅ  Ｂ（またはＭｅＮＢ））２と、セカンダリ進化型ノードＢ（Ｓｅｃｏｎｄａｒｙ  ｅｖｏｌｖｅｄ  Ｎｏｄｅ  Ｂ（またはＳｅＮＢ））３との間にデュアルコネクティビティを確立できるようにする方法が開示される。
【００３６】
以下の説明では、ワイヤレス通信機器１が４Ｇスマートフォンとみなす。ただし、これは、この種類のワイヤレス通信機器（またはユーザ機器）に限定されない。実際には、これは、ｅＮｏｄｅ  Ｂ（またはｅＮＢ（進化型ノードＢ（ｅｖｏｌｖｅｄ  Ｎｏｄｅ  Ｂ）））を含む、したがって少なくとも３ＧＰＰ第４世代（または４Ｇ）に属する、少なくとも１つのワイヤレス（またはモバイル）通信ネットワークを介して、他のワイヤレス通信機器またはネットワーク機器との通信を確立することが可能な任意のタイプのワイヤレス通信機器に関係する。そのため、ワイヤレス通信機器１は、例えば、タブレットまたはラップトップとすることもできる。
【００３７】
さらに、以降の説明では、ワイヤレス通信機器１が、３ＧＰＰ  ＬＴＥネットワークなどの４Ｇネットワークとの接続を確立することが可能であるとみなす。
【００３８】
４Ｇモバイル通信ネットワークの極めて小さい部分について、図１に示す。このネットワーク部分は、モビリティ管理エンティティ（またはＭＭＥ）４およびサービス提供ゲートウェイ（またはＳ−ＧＷ）５に結合された、マスター進化型ノードＢ（Ｍａｓｔｅｒ  ｅｖｏｌｖｅｄ  Ｎｏｄｅ  Ｂ（またはＭｅＮＢ））２と、ＭｅＮＢ２とデータを交換することができるセカンダリ進化型ノードＢ（Ｓｅｃｏｎｄａｒｙ  ｅｖｏｌｖｅｄ  Ｎｏｄｅ  Ｂ（またはＳｅＮＢ））３とを備える。
【００３９】
ｅＮＢ（すなわち、ＭｅＮＢおよびＳｅＮＢ）、ＭＭＥおよびＳ−ＧＷの機能性ならびにその間の関係性は、当業者にはよく知られており、特に、スモールセルエンハンスメントに関する部分では、３ＧＰＰ仕様によって定義される。そのため、本書ではこれらについて説明しない。
【００４０】
先に述べたように、本発明は、特に、ユーザ機器１と、このユーザ機器１に直接サービス提供するＭｅＮＢ２と、ＳｅＮＢ３との間にデュアルコネクティビティを確立できるようにする方法を提案する。この方法は、少なくとも３つのステップＳ１、Ｓ２およびＳ３を含む。
【００４１】
ＭｅＮＢ２が、直接サービス提供するユーザ機器１によってリクエストされたデータレートをオフロードしたいとき、この方法の第１のステップＳ１が開始される。
【００４２】
この第１のステップＳ１中に、ＭｅＮＢ２が、ユーザ機器１用に割り当てている無線資源を完備する無線資源を割り当てることができると予想される少なくとも１つのＳｅＮＢ３を選択して、リクエストされたデータレートをともに提供する。
【００４３】
この第１のステップＳ１は、マスターとして働く各ｅＮＢ２を装備するデバイス６によって実施され得る。例えば、このデバイス６は、ｅＮＢ２のＲＲＭ（またはＲａｄｉｏ  Ｒｅｓｏｕｒｃｅ  Ｍａｎａｇｅｍｅｎｔ：無線資源管理）エンティティまたはこのＲＲＭエンティティの一部としてもよい。
【００４４】
こうしたデバイス６は、好ましくは、少なくとも部分的にソフトウェアモジュールから作製される。ただし、これは、ハードウェアとソフトウェアモジュールの組合せからも作製され得る。これが、ソフトウェアモジュールから作製される事例では、ソフトウェアモジュールがメモリに、または、場合によりダウンロードされた後、任意のコンピュータソフトウェア製品に記憶される。
【００４５】
方法の第２のステップＳ２では、ＭｅＮＢ２が、選択された（各）ＳｅＮＢ３に新たなタイプの資源（または追加）リクエストを送信する。この追加（または資源）リクエストは、関係するユーザ機器１に少なくとも割り当てられるべき補完無線資源を定義するデータ、Ｅ−ＲＡＢパラメータ、ユーザプレーンオプションに対応するＴＮＬアドレス情報、関係するユーザ機器１の能力、関係するユーザ機器１用の現在の無線資源構成、および関係するユーザ機器１の履歴セル情報を含む。
【００４６】
好ましくは、関係するユーザ機器１の履歴セル情報は、選択されたセカンダリ進化型ノードＢに資源リクエストを送信する以前に、ユーザ機器１がアクティブ状態またはアイドル状態でサービス提供されたセルについての情報を含む。この履歴セル情報は、好ましくは、最終訪問セルリストおよび最終訪問セル情報（グローバルセルＩＤ、セルタイプ、ユーザ機器１がセルに滞在した時間、ユーザ機器１がグラニュラリティを拡張したセルに滞在した時間、およびＨＯ原因値））を含む。
【００４７】
この第２のステップＳ２は、関係するＭｅＮＢ２を装備するデバイス６によっても実施され得る。デバイス６は、そのＭｅＮＢ２による、選択された各ＳｅＮＢ３への資源リクエストの伝送をトリガする。
【００４８】
方法の第３のステップＳ３では、選択された（各）ＳｅＮＢ３が、ユーザ機器１用のリクエストされた補完無線資源を割り当てることができるかどうか、また、対応する適切な無線パラメータをどのように設定するか、について、受信した資源リクエスト中に含まれるデータから、また、そのまだ割り当てられてない無線資源から決定する。
【００４９】
例えば、選択されたＳｅＮＢ３が、ユーザ機器速度（またはスピード）および／または状態を推定するために、受信した資源リクエスト中に含まれる履歴セル情報データを使用する。ＳｅＮＢ３は、さらに、呼受付制御、資源最適化、および無線パラメータの設定のためにこれらデータをさらに使用することができる。
【００５０】
この第３のステップＳ３は、選択されたＳｅＮＢとして働く関係するｅＮＢ３を装備するデバイス６によっても実施され得る。デバイス６は、そのＳｅＮＢ３が、このＳｅＮＢ３によって受信された資源リクエスト中で定義されたリクエストされた補完無線資源を割り当てることができるかどうか、また、対応する適切なパラメータをどのように設定するか、について決定する。
【００５１】
ＳｅＮＢ３が、第２のベアラを通してユーザ機器１用にリクエストされた補完無線資源を割り当てることができる事例では、これは、ＲＲＭ決定を行い、次いで、補完無線資源（Ｌ１およびＬ２）を割り当て、同期のためにユーザ機器１に専用ＲＡＣＨ（またはＲａｄｉｏ  Ａｃｃｅｓｓ  ＣＨａｎｎｅｌ）プリアンブルを提供することができる。
【００５２】
図２の限定しない例に示すように、本発明による方法は、ステップＳ４をさらに含むことができ、ステップＳ４中に、ＳｅＮＢ３が、第２のステップＳ２中に伝送された追加（または資源）リクエストに応答して、追加（または資源）応答をＭｅＮＢ２に送信する。
【００５３】
この方法は、ステップＳ５をさらに含むことができ、ステップＳ５中に、ＭｅＮＢ２が、提案された無線構成を保証することができるかどうかについて決定する。そのため、別のＲＲＭ決定を行う。
【００５４】
ＭｅＮＢ２が、提案された無線構成を保証する場合、方法は、ステップＳ６をさらに含むことができ、ステップＳ６中に、このＭｅＮＢ２は、この提案された無線構成を定義する情報を含むＲＲＣ（または無線リソース制御（Ｒａｄｉｏ  Ｒｅｓｏｕｒｃｅ  Ｃｏｎｔｒｏｌ））接続再構成メッセージを、関係するユーザ機器１に送信する。
【００５５】
この方法は、ステップＳ７をさらに含むことができ、ステップＳ７中に、ＭｅＮＢ２が、ＰＤＣＰシーケンス番号を含むＳＮ（またはＳｅｑｕｅｎｃｅ  Ｎｕｍｂｅｒ）状態伝達メッセージを、リクエストされた補完無線資源を割り当てることを承認した選択されたＳｅＮＢ３に送信する。
【００５６】
この方法は、ステップＳ８をさらに含むことができ、ステップＳ８中に、ＭｅＮＢ２が、リクエストされた補完無線資源を割り当てることを承認した選択されたＳｅＮＢ３へ向けたデータ転送をトリガする。
【００５７】
関係するユーザ機器１が、接続再構成に進んだ場合、この方法は、ステップＳ９をさらに含むことができ、ステップＳ９中に、関係するユーザ機器１が、受信したＲＲＣ接続再構成メッセージに応答して、そのＭｅＮＢ２にＲＲＣ接続再構成完了メッセージを送信する。
【００５８】
この方法は、ステップＳ１０をさらに含むことができ、ステップＳ１０中に、関係するユーザ機器１が、リクエストされた補完無線資源を割り当てることを承認した選択されたＳｅＮＢ３に、ランダムアクセスプリアンブルメッセージを送信する。
【００５９】
この方法は、ステップＳ１１をさらに含むことができ、ステップＳ１１中に、選択されたＳｅＮＢ３が、受信したランダムアクセスプリアンブルメッセージに応答して、ユーザ機器にランダムアクセス応答を送信する。
【００６０】
この方法は、ステップＳ１２をさらに含むことができ、ステップＳ１２中に、関係するユーザ機器１が、リクエストされた補完無線資源を割り当てることを承認した選択されたＳｅＮＢ３に、他のメッセージ（Ｃ−ＲＮＴＩ（またはＣｏｎｔｒｏｌｌｉｎｇ−Ｒａｄｉｏ  Ｎｅｔｗｏｒｋ  Ｔｅｍｐｏｒａｒｙ  Ｉｄｅｎｔｉｆｉｅｒ））を送信し、これにより、選択されたＳｅＮＢ３の（スモール）セルへ向けた同期が完了する。
【００６１】
この方法は、ステップＳ１３をさらに含むことができ、ステップＳ１３中に、選択されたＳｅＮＢ３が、新たな無線構成が既に使用状態であることを通知するために、ＭｅＮＢ２に追加（または資源）完了メッセージを送信する。
【００６２】
この方法は、ステップＳ１４をさらに含むことができ、ステップＳ１４中に、ＭｅＮＢ２が、関連するＭＭＥ４にＥ−ＲＡＢ変更指示メッセージを送信する。
【００６３】
この方法は、ステップＳ１５をさらに含むことができ、ステップＳ１５中に、ＭＭＥ４および関連するＳ−ＧＷ５が、選択されたＳｅＮＢ３によって関係するユーザ機器１に提供される、ベアラオフロードの結果であるベアラ（またはＥ−ＲＡＢ）変更を登録する。
【００６４】
最後に、この方法は、ステップＳ１６をさらに含むことができ、ステップＳ１６中に、ＭＭＥ４が、ＥＰＣ（進化型パケットコア（Ｅｖｏｌｖｅｄ  Ｐａｃｋｅｔ  Ｃｏｒｅ））に向かうユーザプレーン経路の更新が実行されることを通知するために、Ｅ−ＲＡＢ変更確認メッセージをＭｅＮＢに送信する。
【００６５】
デュアルコネクティビティの特徴において、ＭｅＮＢからＳｅＮＢへの少なくとも１つのベアラのオフロード中に、ユーザ機器履歴セル情報の伝達を可能にすることによって、本発明により、ＳｅＮＢが、ユーザ機器速度（またはスピード）を推定し、次いで資源の割当てを最適化し、無線パラメータの設定ができるようになる。
【００６６】
図面に示す種々の要素の機能は、専用ハードウェアならびに適切なソフトウェアと協働するソフトウェアの実行が可能なハードウェアを通じて提供され得る。
【００６７】
本明細書のいずれのブロック図も、本発明の原理を実現する実例としての回路の概念図を示すことが、当業者には理解されるべきである。
【００６８】
説明および図面は、単に本発明の原理を示す。したがって、当業者は、本明細書に明示的に説明も示すこともしないが、本発明の原理を実現し、その趣旨および範囲内に含まれる種々の構成を案出することができる。さらに、本明細書に記載された全ての例は、主として、本発明の原理および当技術をさらに進めるために本発明者により寄与される概念を理解する際に読者を支援する、明白に教示の目的のためだけのものであり、こうした具体的に記述した例および条件に限定するものではないとして解釈されるべきである。さらに、本発明の原理、態様および実施形態について記載された本明細書の全ての記述、ならびにその具体的な例は、その均等物を包含するものである。
【図１】
0006325119.tif 000002
【図２】
0006325119.tif 000003